(57)【特許請求の範囲】
【請求項１】
背もたれを支持する框に回動可能に取り付けられる肘掛けと、
前記肘掛けに取り付けられ、使用者が前記肘掛けの回動を操作するための操作部材と、
前記肘掛けの後部に取り付けられ、前記操作部材に連結されるピン形状の被連結部材と、
框に取り付けられ、前記被連結部材の回動を規制する框側取付具と、
前記被連結部材を前記框側取付具に向かって付勢する付勢部材とを備え、
使用者によって前記操作部材に加えられた力は、前記框側取付具による前記被連結部材の回動規制を解除するように前記被連結部材へ伝達される、ポータブルトイレの肘掛け構造。
【請求項２】
前記框側取付具は、前記被連結部材の回動を規制する壁部を有している、請求項１に記載のポータブルトイレの肘掛け構造。
【請求項３】
前記被連結部材は框の側面に向けて突出するように配置されている、請求項１又は２のいずれか１項に記載のポータブルトイレの肘掛け構造。
【請求項４】
背もたれを支持する框に回動可能に取り付けられる肘掛けと、
前記肘掛けに取り付けられ、使用者が前記肘掛けの回動を操作するための操作部材と、
前記肘掛けの後部に取り付けられ、前記操作部材に連結されるフックと、
前記フックと係合可能に框に取り付けられ、前記フックの回動を規制するピン形状の框側係合具と、
前記フックを前記框側係合具に向かって付勢する付勢部材とを備え、
使用者によって前記操作部材に加えられた力は、前記フックと前記框側係合具との係合を解除するように前記フックへ伝達される、ポータブルトイレの肘掛け構造。
【請求項５】
前記操作部材は、前記肘掛けの下方に位置するように配置されている、請求項１から請求項４までのいずれか１項に記載のポータブルトイレの肘掛け構造。
【請求項６】
前記肘掛けは、金属製のフレームを介して框に回動可能に取り付けられている、請求項１から請求項５までのいずれか１項に記載のポータブルトイレの肘掛け構造。
【請求項７】
前記金属製のフレームは、前記操作部材の動きを規制する規制手段を備える、請求項６に記載のポータブルトイレの肘掛け構造。
【請求項８】
前記操作部材の一部は、前記金属製のフレームから突出して配置されている、請求項６又は７のいずれか１項に記載のポータブルトイレの肘掛け構造。
【請求項９】
框に固定され、前記肘掛けを水平に支持するための支持部と、
前記肘掛けが水平に延びているときに前記支持部に当接するように前記肘掛けに配置される被支持部とを備えている、請求項１から請求項８までのいずれか１項に記載のポータブルトイレの肘掛け構造。
【請求項１０】
前記支持部は、前記肘掛けが鉛直に延びるように回動されたときに前記肘掛けに当接する側面を有する、請求項９に記載のポータブルトイレの肘掛け構造。
【請求項１１】
前記支持部は、框の側面に平行に延在し、前記肘掛けが水平に延びているときに前記肘掛けの側面に当接する壁部を有する、請求項９又は１０のいずれか１項に記載のポータブルトイレの肘掛け構造。
【請求項１２】
前記框側取付具及び／又は前記支持部は、ベースプレートを介して框に取り付けられている、請求項９から請求項１１までのいずれか１項に記載のポータブルトイレの肘掛け構造。
【請求項１３】
使用者によって前記操作部材に加えられた力は、前記框の前後方向に沿って伝達される、請求項１から請求項１２までのいずれか１項に記載のポータブルトイレの肘掛け構造。
【発明の詳細な説明】
【技術分野】
【０００１】
本発明は、一般的には肘掛け構造に関し、特定的にはポータブルトイレの肘掛け構造に関する。
【背景技術】
【０００２】
ポータブルトイレには、使用者の腰掛け動作や立ち上がり動作の負担を軽減するために、肘掛けが設けられているものがある。肘掛けがポータブルトイレ本体に固定されていると、使用者が肘掛けに手を置いて腰掛け動作や立ち上がり動作をしても肘掛けがぐらつかない一方で、使用者がポータブルトイレの側方からポータブルトイレの便座に移乗することができない。そこで、従来、必要に応じて肘掛けを跳ね上げて、ポータブルトイレの側方を開放することのできる肘掛け構造が提案されている。
【０００３】
例えば、特開２００５−１３７８７３号公報（特許文献１）には、肘掛けのアームのガイド穴にロックピンを嵌入して嵌合穴にストッパピンを嵌合することによってアームの回動を規制し、ロックピンとガイド穴とをずらして嵌合穴からストッパピンを離脱させることによってアームを回動可能とする、椅子の肘掛け構造が記載されている。
【０００４】
また、特開２００５−５８５６７号公報（特許文献２）には、肘掛け本体の下面に固定されたアームに回動自在に軸支されたレバーおよびフックと、レバーおよびフックにわたって連結された連結バーとからなる椅子の肘掛け構造が記載されている。特許文献２の椅子の肘掛け構造では、フックを係合可能な係合部が肘掛けのホルダに係合され、フックに設けた弾性部材の付勢力により、フックが係合部に係合する方向に付勢されている。肘掛けを跳ね上げて側方を開放するには、レバーを把握し、肘掛け本体との間隔を小さくするように、ねじりコイルバネの付勢力に抗して引き上げれば、連結バーを介してフックをその軸支部について時計回り方向に回動させることができ、フックをホルダの係合部から離脱させることができる。
【先行技術文献】
【特許文献】
【０００５】
【特許文献１】特開２００５−１３７８７３号公報
【特許文献２】特開２００５−５８５６７号公報
【発明の概要】
【発明が解決しようとする課題】
【０００６】
しかしながら、特許文献１の椅子の肘掛け構造では、使用者はロックピンをガイド穴に嵌入させたり、ロックピンを嵌合穴からずらしたりして、アームの回動を操作する必要がある。ロックピンと嵌合穴は、アームの回動軸、すなわち、使用者よりも後方の框に配置されている。そのため、アームを跳ね上げるときには、使用者が体をねじって框の方向を向いてロックピンを操作したり、介護者に頼る必要がある。このように、特許文献１の肘掛け構造では、使用者が便座に腰かけた状態で、手元で肘掛けを跳ね上げる操作をすることができない。
【０００７】
また、特許文献２の椅子の肘掛け構造では、使用者が手元で、アームの回動規制を解除する操作をすることができるものの、構造が複雑であり、部品点数も多い。
【０００８】
そこで、この発明の目的は、簡単な構造で、肘掛けの回動規制の解除を使用者が容易に行うことが可能なポータブルトイレの肘掛け構造を提供することである。
【課題を解決するための手段】
【０００９】
この発明の一つの局面に従ったポータブルトイレの肘掛け構造は、肘掛けと、操作部材と、被連結部材と、框側取付具と、付勢部材とを備える。また、この発明の他の局面に従ったポータブルトイレの肘掛け構造は、肘掛けと、操作部材と、連結部材と、被連結部材と、框側取付具と、付勢部材と、規制手段と、支持部と、被支持部とを備えていてもよい。
【００１０】
肘掛けは、背もたれを支持する框に回動可能に取り付けられるものである。操作部材は、使用者が肘掛けの回動を操作するために、肘掛けに取り付けられるものであり、使用者が力を加える操作部と操作部に加えられる力が作用する作用部とを有する。連結部材は、作用部に連結されるものである。被連結部材は、肘掛けの後部に取り付けられ、連結部材に連結されるものである。框側取付具は、框に取り付けられ、被連結部材の回動を規制するものである。付勢部材は、被連結部材を框側取付具に向かって付勢するものである。規制手段は、操作部材の回動範囲を、すなわち動きを規制するものである。支持部は、框に固定され、肘掛けを水平に支持するためのものである。被支持部は、肘掛けが水平に延びているときに支持部に当接するように肘掛けに配置される。
【００１１】
操作部材は、使用者によって操作部に力が加えられたとき、作用部に及ぼされる力の方向を框の前後方向に沿った方向にすることにより、框側取付具による被連結部材の回動規制を解除するように構成されている。換言すれば、使用者によって操作部材に加えられた力は、框側取付具による被連結部材の回動規制を解除するように被連結部材へ伝達される。支持部は肘掛けの回動軸よりも前方側において肘掛けの下方に配置されている。
【００１２】
使用者が操作部材の操作部に力を加えると、作用部には框の前後方向に沿った方向に力が及ぼされる。連結部材にはピン形状の被連結部材が連結されている。被連結部材は框側取付具に向かって付勢部材によって付勢されているが、框の前後方向に沿った方向において作用部に力が及ぼされることによって、作用部に連結された連結部材を介して、すなわち、例えば、連結部材が引っ張られることによって、被連結部材が付勢部材による付勢と逆の向きに回動させられて、被連結部材が框側取付具から遠ざけられる。被連結部材が框側取付具から遠ざかることによって、框側取付具による被連結部材の回動規制が解除される。
【００１３】
こうして、使用者は、肘掛けを回動させることができるようになる。連結部材が引っ張られることによって被連結部材の回動規制が解除されるので、連結部材としては例えばワイヤを用いることもできる。
【００１４】
一方、使用者が操作部材を操作しない場合には、被連結部材は付勢部材によって框側取付具に向かって付勢され、被連結部材の回動が規制される。
【００１５】
このように、簡単な構造で、肘掛けの操作部材を操作することによって、肘掛けの回動規制の解除を使用者が容易に行うことが可能なポータブルトイレの肘掛け構造を提供することができる。
【００１６】
また、肘掛けに固定される被支持部が、框に固定される支持部によって、肘掛けの回動軸よりも前方において下方から水平に保持されるので、使用者が便座から立ち上がるとき、肘掛けを保持してもぐらつきにくい。
【００１７】
この発明の一つの局面に従ったポータブルトイレの肘掛け構造においては、被連結部材は肘掛けの回動軸よりも後方側において肘掛けに取り付けられ、框側取付具は、肘掛けの回動軸の後方側において被連結部材の下方に配置される壁部を有し、付勢部材は被連結部材を後方に向かって付勢していることが好ましい。
【００１８】
このようにすることにより、簡単な構成の框側取付具によって被連結部材の回動を規制することができる。また、操作部に力が加えられたときに連結部材が前方向に引っ張られるようにして、被連結部材の回動規制を解除させるように構成することができる。
【００１９】
この発明の一つの局面に従ったポータブルトイレの肘掛け構造においては、壁部の下面には、框の前後方向において、壁部の中央側で低く、壁部の端部側で高い傾斜面が形成されていることが好ましい。
【００２０】
被連結部材は肘掛けの回動軸よりも後方側において肘掛けに取り付けられているので、肘掛けが略鉛直に延びる状態から略水平に延びる状態に、上方から下方向きに回動するとき、被連結部材は下方から上方に向かって回動する。このとき、被連結部材は壁部の下面の傾斜面に沿って移動し、壁部の上面に戻る。このようにすることにより、使用者が肘掛けの回動を規制するために操作部材を操作する必要がなくなる。
【００２１】
この発明の一つの局面に従ったポータブルトイレの肘掛け構造においては、被連結部材はピン形状であることが好ましい。さらに、操作部材は、使用者が操作部に力を加えたときに作用部が上方から下方に向かって、かつ、後方から前方に向かって回動するように構成され、框側取付具は、付勢部材によって付勢される被連結部材を収容する凹部を有し、凹部は、前方側において開口し、凹部の内側下面は、開口側が相対的に低い傾斜面であることが好ましい。
【００２２】
ピン形状の被連結部材が框側取付具の凹部に収容されることによって、簡単な構成の框側取付具と被連結部材で肘掛けの回動を規制することができる。
【００２３】
また、使用者が操作部に力を加えたときに作用部が上方から下方に向かって回動するので、同時に、連結部材を介して作用部に連結されている被連結部材も上方から下方に向かって移動される。被連結部材を収容する凹部は前方側で開口し、凹部の内側下面は開口側が相対的に低い傾斜面であるから、被連結部材が上方から下方に向かって移動されるとき、すなわち、使用者が操作部に力を加えたとき、被連結部材が滑らかに移動する。
【００２４】
このようにすることにより、簡単な構成で、使用者が容易に肘掛けの回動規制を解除することが可能になる。また、肘掛けが跳ね上げられた状態から略水平に延びる状態に戻されるとき、被連結部材が凹部の外部から凹部の内側底面に接近し易くなり、肘掛けの上下方向のガタツキが低減する。
【００２５】
この発明の一つの局面に従ったポータブルトイレの肘掛け構造においては、被連結部材は框の側面に向けて突出するように配置されていることが好ましい。
【００２６】
このようにすることにより、被連結部材と框側取付具とを強固に係止させることができ、肘掛け構造全体の強度を高めることができる。また、框の側面上で被連結部材と框側取付具を係止することによって、他の位置で係止させる場合と比較して、肘掛け構造全体の構成を簡素にし、部品点数を少なくさせることができる。
【００２７】
この発明の一つの局面に従ったポータブルトイレの肘掛け構造においては、付勢部材はねじりバネであり、ねじりバネの一方の端部は被連結部材に接触するように配置されていることが好ましい。
【００２８】
このようにすることにより、例えば、付勢部材が直線状のバネであり、ピン形状の被連結部材が直線状のバネの一方の端部によって付勢されている場合と比較して、被連結部材と付勢部材との接触部分が大きくなる。そのため、付勢部材に対する被連結部材の位置が変化しても被連結部材を付勢しやすくなる。
【００２９】
この発明の別の局面に従ったポータブルトイレの肘掛け構造は、肘掛けと、操作部材と、連結部材と、フックと、ピン形状の框側係合具と、付勢部材とを備える。また、この発明の他の局面に従ったポータブルトイレの肘掛け構造は、肘掛けと、操作部材と、連結部材と、フックと、ピン形状の框側係合具と、付勢部材と、規制手段と、支持部と、被支持部とを備えていてもよい。
【００３０】
肘掛けは、背もたれを支持する框に回動可能に取り付けられるものである。操作部材は、使用者が肘掛けの回動を操作するために肘掛けに取り付けられるものであり、使用者が力を加える操作部と操作部に加えられる力が作用する作用部とを有する。連結部材は、作用部に連結されるものである。フックは、肘掛けの後部に取り付けられ、連結部材に連結されるものである。框側係合具は、フックと係合可能に框に取り付けられ、フックの回動を規制するものである。付勢部材は、フックを框側係合具に向かって付勢するものである。規制手段は、操作部材の回動範囲を、すなわち動きを規制するものである。支持部は、框に固定され、肘掛けを水平に支持するためのものである。被支持部は、肘掛けが水平に延びているときに支持部に当接するように肘掛けに配置される。
【００３１】
操作部材は、使用者によって操作部に力が加えられたとき、作用部に及ぼされる力の方向を框の前後方向に沿った方向にすることにより、フックと框側係合具との係合を解除するように構成されている。換言すれば、使用者によって操作部材に加えられた力は、フックと框側係合具との係合を解除するようにフックへ伝達される。支持部は肘掛けの回動軸よりも前方側において肘掛けの下方に配置されている。
【００３２】
使用者が操作部材の操作部に力を加えると、作用部には框の前後方向に沿った方向に力が及ぼされる。連結部材にはフックが連結されている。フックはピン形状の框側係合具に向かって付勢部材によって付勢されているが、框の前後方向に沿った方向において作用部に力が及ぼされることによって、作用部に連結された連結部材を介して、すなわち、例えば、連結部材が引っ張られることによって、フックが付勢部材による付勢と逆の向きに引っ張られて、フックが框側係合具から遠ざけられる。フックが框側係合具から遠ざかることによって、框側係合具によるフックの回動規制が解除される。
【００３３】
こうして、使用者は、肘掛けを回動させることができるようになる。連結部材が引っ張られることによってフックの回動規制が解除されるので、連結部材としては例えばワイヤを用いることもできる。
【００３４】
一方、使用者が操作部材を操作しない場合には、フックは付勢部材によって框側係合具に向かって付勢され、フックの回動が規制される。
【００３５】
このように、簡単な構造で、肘掛けの操作部材を操作することによって、肘掛けの回動規制の解除を使用者が容易に行うことが可能なポータブルトイレの肘掛け構造を提供することができる。
【００３６】
また、肘掛けに固定される被支持部が、框に固定される支持部によって、肘掛けの回動軸よりも前方において下方から水平に保持されるので、使用者が便座から立ち上がるとき、肘掛けを保持してもぐらつきにくい。
【００３７】
この発明に従ったポータブルトイレの肘掛け構造においては、操作部材は、肘掛けに回動可能に取り付けられ、操作部と作用部は、操作部と操作部材の回動軸とを結ぶ線が作用部と操作部材の回動軸とを結ぶ線と略直交するように配置されていることが好ましい。
【００３８】
このようにすることにより、使用者によって操作部に力が加えられたとき、作用部に及ぼされる力の方向を框の前後方向に沿った方向に転換させることが容易にできる。
【００３９】
この発明に従ったポータブルトイレの肘掛け構造においては、操作部材は、操作部が肘掛けの下方に位置するように配置されていることが好ましい。
【００４０】
このようにすることにより、使用者にとって、操作部に力を加えることが容易になる。
【００４１】
この発明に従ったポータブルトイレの肘掛け構造においては、支持部は、肘掛けが鉛直に延びるように回動されたときに肘掛けに当接する側面を有することが好ましい。
【００４２】
このようにすることにより、跳ね上げられた肘掛けが回動し過ぎることを防ぐことができる。
【００４３】
この発明に従ったポータブルトイレの肘掛け構造においては、支持部は、框の側面に平行に延在し、肘掛けが水平に延びているときに肘掛けの側面に当接する壁部を有することが好ましい。
【００４４】
このようにすることにより、肘掛けが略水平状態にされているとき、肘掛けの左右方向のがたつきを防ぐことができる。
【００４５】
この発明に従ったポータブルトイレの肘掛け構造においては、肘掛けの回動軸には、軸方向に沿って弾性変形可能なウェーブワッシャーが配置されていることが好ましい。
【００４６】
このようにすることにより、肘掛けの回動に勢いがつき過ぎたり、回動に大きな力が必要になったりすることを防ぐことができる。
【００４７】
この発明に従ったポータブルトイレの肘掛け構造においては、操作部材は、使用者によって前記操作部に力が加えられたとき、作用部に及ぼされる力の方向を框の前後方向に沿った方向に転換させ、かつ、連結部材を引っ張ることにより、框側取付具による被連結部材の回動規制を解除するように構成されていることが好ましい。
【００４８】
また、この発明に従ったポータブルトイレの肘掛け構造においては、操作部材は、肘掛けに回動可能に取り付けられ、操作部材の回動範囲を規制する規制手段を備えることが好ましい。操作部材の回動範囲は規制手段によって規制されているので、使用者が操作部材を必要以上に回動させることを防ぎ、操作部材や連結部材、被連結部材の損傷を防ぐことができる。
【発明の効果】
【００４９】
以上のように、この発明によれば、取り扱いが簡単な連結構造と、それを備える浴槽用手摺りを提供することができる。
【図面の簡単な説明】
【００５０】
【図１】本発明の第１実施形態のポータブルトイレの全体を示す左側面図である。
【図２】ベースと肘掛けの全体を示す左側面図である。
【図３】肘掛けの内部の構造を示す断面図である。
【図４】ベースと、ベースに固定された部材と、ロックピンとを示す図である。
【図５】レバーが握られたときの肘掛けの内部の構造を示す断面図である。
【図６】レバーが握られたときのベースと、ベースに固定された部材と、ロックピンとを示す図である。
【図７】肘掛けが跳ね上げられた状態の肘掛けの内部の構造を示す断面図である。
【図８】肘掛けが跳ね上げられた状態のベースと、ベースに固定された部材と、ロックピンとを示す図である。
【図９】本発明の第２実施形態の肘掛けのベースと、ベースに固定された部材と、ロックピンとを示す図である。
【図１０】本発明の第２実施形態の肘掛けのレバーが握られたときのベースと、ベースに固定された部材と、ロックピンとを示す断面図である。
【図１１】本発明の第３実施形態の肘掛けの内部の構造を示す断面図である。
【図１２】本発明の第３実施形態の肘掛けのベースと、ベースに固定された部材と、フックとを示す図である。
【図１３】本発明の第３実施形態の肘掛けのレバーが握られたときのベースと、ベースに固定された部材と、フックとを示す図である。
【発明を実施するための形態】
【００５１】
以下、本発明の実施の形態を図面に基づいて説明する。
【００５２】
（第１実施形態）
図１に示すように、本発明の第１実施形態のトイレ１００は、主に、便器１と、便器１の上面に取り付けられる便座２と、便座２と便器１の上面を覆う蓋３と、便器１を床面上に支持する脚４と、洗浄装置５と、使用者の背中が当接される背もたれ６と、背もたれ６の左右に配置される框７と、框７に固定される短肘掛け８と、框７に固定されたベース９を介して框７に取り付けられる肘掛け１０とを備える。以下の説明において、背もたれ６が配置されている側をトイレ１００の後方側、背もたれ６が配置されている側と反対側をトイレ１００の前方側とする。
【００５３】
便座２は、ボルト等によって便器１の上面に、鉛直面内で回動可能であるように取り付けられている。蓋３は、折りたたまれて背もたれ６の下方に立てかけられるように構成されている。洗浄装置５は、便器１の内部を洗浄するための水を収容するタンクや便器１内への水の供給等を制御する制御部や使用者が操作する操作ボタン等を含む。
【００５４】
框７の左右側面には、一対の短肘掛け８が固定されている。短肘掛け８の上面は略水平に、前後方向に沿って延びている。框７の左右側面において短肘掛け８の上方には、例えば金属製のベース９が固定されている。ベース９には肘掛け１０が回動可能に取り付けられている。肘掛け１０は、上部の木製の肘掛け本体１９と、下部の金属製のフレーム１８とを含む。肘掛け本体１９はフレーム１８に固定されている。肘掛け１０の上面は略水平に、前後方向に沿って延びている。肘掛け１０の前方端部は、短肘掛け８の前方端部よりも前方に突出している。肘掛け１０の前方端部の下面には、使用者が肘掛け１０の回動を操作するためのレバー１１が突出している。レバー１１は操作部材の一例である。なお、肘掛け１０と短肘掛け８は、左右の框７の両方に設けられていてもよく、左右のいずれか一方にのみ設けられていてもよい。
【００５５】
図２に示すように、肘掛け１０はフレーム１８の後部の回動軸１８１を中心にして回動するように、ベース９に取り付けられている。回動軸１８１には、軸方向に沿って弾性変形可能なウェーブワッシャー（図示しない）が配置されている。
【００５６】
ベース９において肘掛け１０の回動軸１８１の前方には、肘掛け１０のフレーム１８を下方から支持する固定台１７が固定されている。この実施形態においては、固定台１７は金属によって形成され、樹脂製のカバーによって上面と後面とが被覆されているが、他の材質によって形成されていてもよい。固定台１７は上面１７１と後壁１７２と横壁１７３とを含む。固定台１７の上面１７１は水平に延びている。固定台１７の後壁１７２は上面１７１の後端部から鉛直下向きに延びている。横壁１７３は、フレーム１８を框７と横壁１７３との間に挟むように、框７と平行に配置され、固定台１７の上面１７１から鉛直上向きに延びている。肘掛け１０のフレーム１８に設けられた被固定部１８２は、固定台１７の上面１７１に接触する。なお、被固定部１８２は、フレーム１８と一体的に形成されていてもよいし、フレーム１８と別個に形成されてフレーム１８に取り付けられてもよい。
【００５７】
図３に示すように、フレーム１８の前方端部にはレバー１１が取り付けられている。レバー１１は、操作部１１１と、作用部１１２と、レバー１１の回動軸１１４とを含む。操作部１１１はフレーム１８の下方に突出している。作用部１１２とレバー１１の回動軸１１４とは、フレーム１８の内部に収容されている。作用部１１２は、レバー１１の回動軸１１４よりも上方に配置されている。レバー１１の回動軸１１４は、操作部１１１よりも前方側に配置されている。図中の線Ａは、操作部１１１、すなわち、使用者がレバー１１を操作するときに使用者によって最も大きな力が加えられる位置とレバー１１の回動軸１１４とを結ぶ方向に沿った線であり、図中の線Ｂは、作用部１１２、すなわち、後述するワイヤ１２が取り付けられている位置とレバー１１の回動軸１１４とを結ぶ方向に沿った線である。操作部１１１と作用部１１２は、線Ａが線Ｂと略直交するように配置されている。
【００５８】
レバー１１の前方にはレバーストッパ１６が配置されている。レバーストッパ１６は、レバー１１を収容するケースの内壁面によって形成されている。なお、レバーストッパ１６は、例えばフレーム１８の内壁面によって形成されていてもよい。レバー１１とレバーストッパ１６とは、レバーユニットとしてケースに収められ、ケースを介して肘掛け１０に装着されてもよいし、レバー１１とレバーストッパ１６とが別々に肘掛け１０に装着されてもよい。
【００５９】
このように、レバー１１は、操作部１１１が肘掛け１０の下方に位置するように配置されている。このようにすることにより、使用者にとって、操作部１１１に力を加えることが容易になる。
【００６０】
作用部１１２にはワイヤ１２が取り付けられている。ワイヤ１２はフレーム１８の内部を通って、フレーム１８の後方端部おいてロックピン１３に連結されている。ロックピン１３は、ピン形状であり、接続部材１３１を介してフレーム１８に取り付けられて、框７の側面に向かって突出するように延びている。接続部材１３１は剛性の材質によって伸び縮みしないように形成されており、接続部材１３１の回動軸（図示しない）を中心にして回動可能であるようにフレーム１８に取り付けられている。このようにすることにより、接続部材１３１の回動軸からロックピン１３までの距離が固定されている。
【００６１】
ロックピン１３は、フレーム１８の後端部に取り付けられているねじりばね１５によって、前方側から後方側へ向かって付勢されている。ねじりばね１５は、鉛直辺１５１と水平辺１５２とを有する。ねじりばね１５の水平辺１５２は略水平方向に延び、フレーム１８の内側底面１４３に接触している。ねじりばね１５の鉛直辺１５１は略鉛直方向に延び、端部がロックピン１３に接触している。
【００６２】
図４に示すように、ベース９と肘掛け１０（図３）との間において、ベース９には框側取付具１４が溶接されている。框側取付具１４には、前方側に開口した凹部１４１が形成されている。凹部１４１の下部１４２は、ロックピン１３を下方から支持する。凹部１４１の下部１４２の上面、すなわち、凹部１４１の内側底面１４３は、前方の開口側で低く、後方側で高い傾斜面を形成している。凹部１４１の外側下面には戻り斜面１４４が形成されている。戻り斜面１４４は、前方側で高く、後方側で低い傾斜面である。なお、框側取付具１４は、ベース９と別個に形成されてベース９を介して框７に取り付けられていてもよいし、ベース９と一体的に形成されていてもよい。
【００６３】
図５に示すように、使用者がレバー１１の操作部１１１を保持して、レバー１１が下方から上向きに押されると、レバー１１は回動軸１１４を中心に回動し、レバー１１の作用部１１２は、図３の位置と比較して前方側に、下方側に、移動する。レバー１１の作用部１１２が比較的前方側に移動することによって、レバー１１に連結されているワイヤ１２が前方側に引っ張られ、ワイヤ１２に取り付けられているロックピン１３が、ねじりばね１５の付勢に逆らって前方側に引っ張られる。レバー１１は、前方側の端面１１３がレバーストッパ１６に接触するまで回動させられ得る。
【００６４】
上述のように、操作部１１１と作用部１１２は、操作部１１１とレバー１１の回動軸１１４とを結ぶ線Ａが作用部１１２とレバー１１の回動軸１１４とを結ぶ線Ｂと略直交するように配置されている。このようにすることにより、使用者によって操作部１１１に力が加えられたとき、作用部１１２に及ぼされる力の方向を框７の前後方向に沿った方向に転換させることが容易にできる。
【００６５】
図６に示すように、前方側に引っ張られたロックピン１３は、凹部１４１から抜け出る。
【００６６】
以上のように構成されるポータブルトイレ１００の肘掛け１０構造の動作について説明する。
【００６７】
肘掛け１０が略水平方向に延びているとき、使用者が肘掛け１０の前側端部を持ち上げようとすると、肘掛け１０の前側端部には下から上向きの力が加わり、一方、肘掛け１０の回動軸１８１よりも後方においては、上から下向きの力が加わる。図１から図４に示すように、レバー１１がフレーム１８の内部に押し込まれていないときには、肘掛け１０の後端部のロックピン１３はねじりばね１５によって凹部１４１の内部に向かって付勢され、凹部１４１の内部に収容されて下方から凹部１４１の下部１４２によって支持されている。そのため、上から下向きの力が肘掛け１０の後端部に加わっても、ロックピン１３は下向きに回動されず、したがって、ロックピン１３が取り付けられているフレーム１８も回動されない。このように、使用者がレバー１１を操作しない場合には、ロックピン１３はねじりばね１５によって框側取付具１４に向かって付勢され、ロックピン１３の回動が規制される。
【００６８】
次に、使用者がレバー１１の操作部１１１に力を加えると、作用部１１２には框７の前後方向に沿った方向に力が及ぼされ、かつ、作用部１１２に連結されるワイヤ１２が引っ張られる。ワイヤ１２にはピン形状のロックピン１３が連結されている。ロックピン１３は框側取付具１４に向かってねじりばね１５によって付勢されているが、ワイヤ１２が引っ張られることによって、ロックピン１３がねじりばね１５による付勢と逆の向きに引っ張られて、ロックピン１３が框側取付具１４から遠ざけられる。ロックピン１３が框側取付具１４から遠ざかることによって、框側取付具１４によるロックピン１３の回動規制が解除される。
【００６９】
こうして、使用者は、肘掛け１０を回動させることができるようになる。ワイヤ１２が引っ張られることによってロックピン１３の回動規制が解除されるので、連結部材としてワイヤ１２を用いることができる。
【００７０】
また、肘掛け１０に固定される被固定部１８２が、框７に固定される固定部１７によって、肘掛け１０の回動軸１８１よりも前方において下方から水平に保持されるので、使用者が便座２から立ち上がるとき、肘掛け１０を保持してもぐらつきにくい。
【００７１】
さらに、レバー１１の回動範囲は規制手段によって規制されているので、使用者がレバー１１を必要以上に回動させることを防ぎ、レバー１１やワイヤ１２、ロックピン１３の損傷を防ぐことができる。
【００７２】
図７と図８に示すように、肘掛け１０は略鉛直方向に延びる状態まで跳ね上げられる。肘掛け１０が跳ね上げられた状態では、肘掛け１０の被固定部１８２が固定台１７の後壁１７２に接触する。後壁１７２は被固定部１８２の前方側に配置されている。使用者が、肘掛け１０をさらに回動させようとしても、被固定部１８２が後壁１７２に押しつけられて、肘掛け１０が回動し過ぎることがない。
【００７３】
このように、支持部は、肘掛け１０が鉛直に延びるように回動されたときに肘掛け１０に当接する後壁１７２を有する。このようにすることにより、跳ね上げられた肘掛け１０が回動し過ぎることを防ぐことができる。
【００７４】
次に、略鉛直方向に延びるように跳ね上げられた肘掛け１０を略水平方向に延びる状態に戻すときの動作について説明する。
【００７５】
跳ね上げられた肘掛け１０を略水平方向に延びる状態に戻すときには、使用者は、レバー１１を握らずに、肘掛け１０の前方端部を保持して、肘掛け１０の前方端部をゆっくりと下向きに回動させる。肘掛け１０の前方端部が下向きに回動されると、肘掛け１０の後方端部は上向きに回動される。このとき、ロックピン１３は、図８に矢印Ｐで示す方向に動く。ロックピン１３は、框側取付具１４の下面の戻り斜面１４４に接触し、戻り斜面１４４に沿って、図中に矢印Ｑで示す方向に動く。肘掛け１０が略水平に延びる状態にされると、ロックピン１３はねじりばね１５によって後方に向かって付勢されて、図中に矢印Ｒで示す方向に動き、凹部１４１内に収容される。
【００７６】
このように、下部１４２の下面には、框７の前後方向において、下部１４２の中央側で低く、下部１４２の前方端部側で高い傾斜面が形成されている。
【００７７】
ロックピン１３は肘掛け１０の回動軸１８１よりも後方側において肘掛け１０に取り付けられているので、肘掛け１０が略鉛直に延びる状態から略水平に延びる状態に、上方から下方向きに回動するとき、ロックピン１３は下方から上方に向かって回動する。このとき、ロックピン１３は下部１４２の下面の戻り斜面１４４に沿って移動し、下部１４２の上面に戻る。このようにすることにより、使用者が肘掛け１０の回動を規制するためにレバー１１を操作する必要がなくなる。
【００７８】
また、ロックピン１３は接続部材１３１を介してフレーム１８に取り付けられており、接続部材１３１の回動軸からロックピン１３までの距離が固定されている。このようにすることにより、肘掛け１０を跳ね上げられた状態から略水平方向に延びる状態に戻すときに、下方向から上方向に回動するロックピン１３が、上方へ跳ね上がることを防ぐことができる。このようにすることにより、肘掛け１０のガタツキを低減することができる。なお、ロックピン１３を接続部材１３１を介してフレーム１８に取り付ける代わりに、凹部１４１の内側の上面の高さを調整するなどして、ロックピン１３の上方向への移動を規制することによっても同様の効果が得られる。
【００７９】
以上のように、第１実施形態のポータブルトイレ１００の肘掛け１０の構造は、肘掛け１０と、レバー１１と、ワイヤ１２と、ロックピン１３と、框側取付具１４と、ねじりばね１５と、レバーストッパ１６と、固定台１７と、被固定部１８２とを備える。
【００８０】
肘掛け１０は、背もたれ６を支持する框７に回動可能に取り付けられるものである。レバー１１は、使用者が肘掛け１０の回動を操作するために、肘掛け１０に回動可能に取り付けられるものであり、使用者が力を加える操作部１１１と、操作部１１１に加えられる力が作用する作用部１１２とを有する。ワイヤ１２は、作用部１１２に連結されるものである。ロックピン１３は、肘掛け１０の後部に取り付けられ、ワイヤ１２に連結されるものである。框側取付具１４は、框７に取り付けられ、ロックピン１３の回動を規制するものである。ねじりばね１５は、ロックピン１３を框側取付具１４に向かって付勢するものである。レバーストッパ１６は、レバー１１の回動範囲を規制するものである。固定台１７は、框７に固定され、肘掛け１０を水平に支持するためのものである。被固定部１８２は、肘掛け１０が水平に延びているときに固定台１７に当接するように肘掛け１０に配置される。
【００８１】
レバー１１は、使用者によって操作部１１１に力が加えられたとき、作用部１１２に及ぼされる力の方向を框７の前後方向に沿った方向に転換させ、かつ、ワイヤ１２を引っ張ることにより、框側取付具１４によるロックピン１３の回動規制を解除するように構成されている。固定台１７は肘掛け１０の回動軸１８１よりも前方側において肘掛け１０の下方に配置されている。
【００８２】
このようにすることにより、簡単な構造で、肘掛け１０のレバー１１を操作することによって、肘掛け１０の回動規制の解除を使用者が容易に行うことが可能なポータブルトイレの肘掛け構造を提供することができる。
【００８３】
また、ポータブルトイレ１００の肘掛け１０の構造においては、ロックピン１３は肘掛け１０の回動軸１８１よりも後方側において肘掛け１０に取り付けられ、框側取付具１４は、肘掛け１０の回動軸１８１の後方側においてロックピン１３の下方に配置される下部１４２を有し、ねじりばね１５はロックピン１３を後方に向かって付勢している。
【００８４】
このようにすることにより、簡単な構成の框側取付具１４によってロックピン１３の回動を規制することができる。また、操作部１１１に力が加えられたときにワイヤ１２が前方向に引っ張られるようにして、ロックピン１３の回動規制を解除させるように構成することができる。
【００８５】
また、ポータブルトイレ１００の肘掛け１０の構造においては、ロックピン１３はピン形状である。さらに、レバー１１は、使用者が操作部１１１に力を加えたときに作用部１１２が上方から下方に向かって、かつ、後方から前方に向かって回動するように構成され、框側取付具１４は、ねじりばね１５によって付勢されるロックピン１３を収容する凹部１４１を有し、凹部１４１は、前方側において開口し、凹部１４１の内側底面１４３は、開口側が相対的に低い傾斜面である。
【００８６】
ピン形状のロックピン１３が框側取付具１４の凹部１４１に収容されることによって、簡単な構成の框側取付具１４とロックピン１３で肘掛け１０の回動を規制することができる。また、肘掛け１０が跳ね上げられた状態から略水平に延びる状態に戻されるとき、ロックピン１３が凹部１４１の外部から凹部１４１の内側底面１４３に接近し易くなり、肘掛け１０の上下方向のガタツキが低減する。
【００８７】
また、使用者が操作部１１１に力を加えたときに作用部１１２が上方から下方に向かって回動するので、同時に、ワイヤ１２を介して作用部１１２に連結されているロックピン１３も上方から下方に向かって移動される。ロックピン１３を収容する凹部１４１は前方側で開口し、凹部１４１の内側底面１４３は開口側が相対的に低い傾斜面であるから、ロックピン１３が上方から下方に向かって移動されるとき、すなわち、使用者が操作部１１１に力を加えたとき、ロックピン１３が滑らかに移動する。
【００８８】
このようにすることにより、簡単な構成で、使用者が容易に肘掛け１０の回動規制を解除することが可能になる。
【００８９】
また、ポータブルトイレ１００の肘掛け１０構造においては、ロックピン１３は框７の側面に向けて突出するように配置されている。
【００９０】
このようにすることにより、ロックピン１３と框側取付具１４とを強固に係止させることができ、肘掛け１０の構造全体の強度を高めることができる。また、框７の側面上でロックピン１３と框側取付具１４を係止することによって、他の位置で係止させる場合と比較して、肘掛け１０の構造全体の構成を簡素にし、部品点数を少なくさせることができる。
【００９１】
また、ポータブルトイレ１００の肘掛け１０の構造においては、付勢部材はねじりばね１５であり、ねじりばね１５の一方の端部はロックピン１３に接触するように配置されている。
【００９２】
このようにすることにより、例えば、付勢部材が直線状のバネであり、ピン形状のロックピン１３が直線状のバネの一方の端部によって付勢されている場合と比較して、ロックピン１３とねじりばね１５との接触部分が大きくなる。そのため、ねじりばね１５に対するロックピン１３の位置が変化してもロックピン１３を付勢しやすくなる。
【００９３】
また、ポータブルトイレ１００の肘掛け１０の構造においては、固定台１７は、框７の側面に平行に延在し、肘掛け１０が水平に延びているときに肘掛け１０の側面に当接する横壁１７３を有する。
【００９４】
このようにすることにより、肘掛け１０が略水平状態にされているとき、肘掛け１０の左右方向のがたつきを防ぐことができる。
【００９５】
また、ポータブルトイレ１００の肘掛け１０の構造においては、回動軸１８１には、軸方向に沿って弾性変形可能なウェーブワッシャーが配置されている。
【００９６】
このようにすることにより、肘掛け１０の回動に勢いがつき過ぎたり、回動に大きな力が必要になったりすることを防ぐことができる。
【００９７】
（第２実施形態）
第２実施形態のポータブルトイレは、第１実施形態のポータブルトイレ１００（図１〜図８）とほぼ同様の構成を備える。第２実施形態のポータブルトイレが第１実施形態と異なる点は、框側取付具の形状である。以下、図１〜図８に示す参照符号と同一の参照符号によって示される部材については説明を省略する。
【００９８】
図９に示すように、第２実施形態のポータブルトイレのベース９には、框側取付具として、板２４が固定されている。板２４は、略水平に延びており、肘掛け本体１９が略水平方向に延びているときに、ねじりばね１５によって付勢されたロックピン１３を下方向から支持する。
【００９９】
使用者がレバー１１を握らないときには、第１実施形態と同様、ロックピン１３はねじりばね１５によって、板２４の上に配置されるように付勢される。ロックピン１３が板２４によって下から支持されているので、使用者が肘掛け本体１９の前方端部を上向きに回動させようとしても、ロックピン１３が配置されている肘掛け１０の後方端部は下向きに回動されない。このようにして、簡単な構成で、肘掛け１０の回動を規制することができる。
【０１００】
図１０に示すように、使用者がレバー１１を握ると、レバー１１の作用部１１２に連結されているワイヤ１２が前方に引っ張られ、ワイヤ１２の後端部に連結されているロックピン１３が前方に引っ張られる。ロックピン１３が板２４上の領域から外れるまで前方に引っ張られると、板２４による回動の規制が解除される。
【０１０１】
このように、使用者は手元のレバー１１を握って、肘掛け１０の回動の規制を解除し、肘掛け１０を跳ね上げることができる。
【０１０２】
なお、板２４の下面には、第１実施形態の框側取付具１４の戻り斜面１４４のような、前方側で高く後方側で低い傾斜面が形成されていない。そこで、跳ね上げられた肘掛け１０を戻すときには、使用者は、レバー１１を握る必要がある。
【０１０３】
第２実施形態のポータブルトイレの肘掛け構造のその他の構成と効果は、第１実施形態と同様である。
【０１０４】
（第３実施形態）
第３実施形態のポータブルトイレは、第１実施形態のポータブルトイレ１００（図１〜図８）とほぼ同様の構成を備える。第３実施形態のポータブルトイレが第１実施形態と異なる点は、框側取付具１４の代わりに突起が形成されている点と、ロックピン１３の代わりにフックを備える点である。以下、図１〜図８に示す参照符号と同一の参照符号によって示される部材については説明を省略する。
【０１０５】
図１１と図１２に示すように、第３実施形態のポータブルトイレの肘掛け３０においては、レバー１１の作用部１１２に連結されたワイヤ１２の後端部に、フック３３が連結されている。フック３３は、例えばＶ字形状に形成されており、棒状の上辺３３１と下辺３３２とから形成されている。上辺３３１と下辺３３２とは、一方の端部において連結され、他方の端部は離隔されてＶ字形状に形成されており、開口部と屈曲部とを有する。フック３３は、開口部を後方側に向けて、屈曲部においてワイヤ１２に連結されている。フック３３はねじりばね１５の鉛直辺１５１に接触し、ねじりばね１５によって後方に向かって付勢されている。
【０１０６】
ベース９には、框側係合具として突起３４が形成されている。ねじりばね１５によって後方に向かって付勢されたフック３３は、突起３４に係合する。フック３３が突起３４に係合しているとき、フック３３の上辺３３１は下から突起３４によって支持されている。
【０１０７】
使用者がレバー１１を握らないときには、フック３３は突起３４によって下から支持されているので、使用者が肘掛け本体１９の前方端部を上向きに回動させようとしても、フック３３が配置されている肘掛け１０の後方端部は下向きに回動されない。このようにして、肘掛け１０の回動を規制することができる。
【０１０８】
図１３に示すように、使用者がレバー１１を握ると、レバー１１の作用部１１２に連結されているワイヤ１２が前方に引っ張られ、ワイヤ１２の後端部に連結されているフック３３が前方に引っ張られる。フック３３の上辺３３１が突起３４から外れるまで前方に引っ張られると、突起３４による回動の規制が解除される。
【０１０９】
このように、使用者は手元のレバー１１を握って、肘掛け１０の回動の規制を解除し、肘掛け１０を跳ね上げることができる。
【０１１０】
なお、跳ね上げられた肘掛け１０を戻すときには、フック３３の上辺３３１が突起３４に接触して肘掛け１０の回動を妨げられないよう、使用者はレバー１１を握る必要がある。
【０１１１】
以上のように、第３実施形態のポータブルトイレの肘掛け３０の構造は、肘掛け３０と、レバー１１と、ワイヤ１２と、フック３３と、ピン形状の突起３４と、ねじりばね１５と、レバーストッパ１６と、固定台１７と、被固定部１８２とを備える。
【０１１２】
肘掛け３０は、背もたれ６を支持する框７に回動可能に取り付けられるものである。レバー１１は、使用者が肘掛け３０の回動を操作するために肘掛け３０に回動可能に取り付けられるものであり、使用者が力を加える操作部１１１と、操作部１１１に加えられる力が作用する作用部１１２とを有する。ワイヤ１２は、作用部１１２に連結されるものである。フック３３は、肘掛け３０の後部に取り付けられ、ワイヤ１２に連結されるものである。突起３４は、フック３３と係合可能に框７に取り付けられ、フック３３の回動を規制するものである。ねじりばね１５は、フック３３を突起３４に向かって付勢するものである。レバーストッパ１６は、レバー１１の回動範囲を規制するものである。固定台１７は、框７に固定され、肘掛け３０を水平に支持するためのものである。被固定部１８２は、肘掛け３０が水平に延びているときに固定台１７に当接するように肘掛け３０に配置される。
【０１１３】
レバー１１は、使用者によって操作部１１１に力が加えられたとき、作用部１１２に及ぼされる力の方向を框７の前後方向に沿った方向に転換させ、かつ、ワイヤ１２を引っ張ることにより、フック３３と突起３４との係合を解除するように構成されている。固定台１７は肘掛け３０の回動軸１８１よりも前方側において肘掛け３０の下方に配置されている。
【０１１４】
使用者がレバー１１の操作部１１１に力を加えると、作用部１１２には框７の前後方向に沿った方向に力が及ぼされ、かつ、作用部１１２に連結されるワイヤ１２が引っ張られる。ワイヤ１２にはフック３３が連結されている。フック３３はピン形状の突起３４に向かってねじりばね１５によって付勢されているが、ワイヤ１２が引っ張られることによって、フック３３がねじりばね１５による付勢と逆の向きに引っ張られて、フック３３が突起３４から遠ざけられる。フック３３が突起３４から遠ざかることによって、突起３４によるフック３３の回動規制が解除される。
【０１１５】
こうして、使用者は、肘掛け３０を回動させることができるようになる。ワイヤ１２が引っ張られることによってフック３３の回動規制が解除されるので、連結部材としては例えばワイヤ１２を用いることができる。
【０１１６】
一方、使用者がレバー１１を操作しない場合には、フック３３はねじりばね１５によって突起３４に向かって付勢され、フック３３の回動が規制される。
【０１１７】
このように、簡単な構造で、肘掛け３０のレバー１１を操作することによって、肘掛け３０の回動規制の解除を使用者が容易に行うことが可能なポータブルトイレの肘掛け構造を提供することができる。
【０１１８】
また、肘掛け３０に固定される被固定部１８２が、框７に固定される固定台１７によって、肘掛け３０の回動軸１８１よりも前方において下方から水平に保持されるので、使用者が便座２から立ち上がるとき、肘掛け３０を保持してもぐらつきにくい。
【０１１９】
さらに、レバー１１の回動範囲はレバーストッパ１６によって規制されているので、使用者がレバー１１を必要以上に回動させることを防ぎ、レバー１１やワイヤ１２、フック３３の損傷を防ぐことができる。
【０１２０】
第３実施形態のポータブルトイレの肘掛け３０構造のその他の構成と効果は、第１実施形態と同様である。
【０１２１】
以上に開示された実施の形態はすべての点で例示であって制限的なものではないと考慮されるべきである。本発明の範囲は、以上の説明ではなく、特許請求の範囲によって示され、特許請求の範囲と均等の意味および範囲内でのすべての変形を含むものである。
【符号の説明】
【０１２２】
１００：トイレ、６：背もたれ、７：框、１０，３０：肘掛け、１１：レバー、１１１：操作部、１１２：作用部、１１４：レバーの回動軸、１２：ワイヤ、１３：ロックピン、１４：框側取付具、１４１：凹部、１４２：凹部の下部、１４３：凹部の内側底面、１４４：戻り斜面、１５：ねじりばね、１６：レバーストッパ、１７：固定台、１７２：後壁、１７３：横壁、１８１：肘掛けの回動軸、１８２：被固定部、２４：板，３３：フック、３４：突起。
【図１】
0005901821.tif 000002
【図２】
0005901821.tif 000003
【図３】
0005901821.tif 000004
【図４】
0005901821.tif 000005
【図５】
0005901821.tif 000006
【図６】
0005901821.tif 000007
【図７】
0005901821.tif 000008
【図８】
0005901821.tif 000009
【図９】
0005901821.tif 000010
【図１０】
0005901821.tif 000011
【図１１】
0005901821.tif 000012
【図１２】
0005901821.tif 000013
【図１３】
0005901821.tif 000014